(57)【要約】      （修正有）【課題】デザイン的にシンプルで、かつコンパクトであり、軽量化および低コスト化が図れるイヤホンのコードホルダーを提供する。【解決手段】衣服１２の衿等に着脱自在に挟み付ける挟付部材１３と、イヤホンのコードを巻き付け可能な巻付部材１５とを備えたイヤホンのコードホルダー１１であり、挟付部材は、クリップ部品で構成され、巻付部材は、イヤホンのコード１４を通すグリップ部品で構成されている。クリップ部品とグリップ部品とに、コードを巻き付け可能な巻付芯部１３ｄ，１５ｄがそれぞれ形成されている。一方の巻付芯部１５ｄが他方の巻付芯部１３ｄのスライド用穴にスライド自在に嵌合されて抜け止めされ、クリップ部品とグリップ部品の間隔Ｗ１，Ｗ２がスライド方向に拡狭調整可能である。【選択図】図２
0003186640.tif 000002
【実用新案登録請求の範囲】
【請求項１】
衣服の衿等に着脱自在に挟み付ける挟付部材と、イヤホンのコードを巻き付け可能な巻付部材とを備えたイヤホンのコードホルダーであって、
前記挟付部材は、クリップ部品で構成され、前記巻付部材は、前記イヤホンのコードを通すグリップ部品で構成されて、
前記クリップ部品と前記グリップ部品とに、前記コードを巻き付け可能な巻付芯部がそれぞれ形成され、
一方の巻付芯部が他方の巻付芯部のスライド用穴にスライド自在に嵌合されて抜け止めされ、前記クリップ部品と前記グリップ部品の間隔がスライド方向に拡狭調整可能であることを特徴とするイヤホンのコードホルダー。
【請求項２】
衣服の衿等に着脱自在に挟み付ける挟付部材と、イヤホンのコードを巻き付け可能な巻付部材とを備えたイヤホンのコードホルダーであって、
前記挟付部材は、クリップ部で構成され、前記巻付部材は、前記イヤホンのコードを巻き付けるリール部で構成されて、
前記リール部は、大径のツバ部と、小径の巻付芯部とが一体成形されてなる左右の半リール部品で構成され、
前記クリップ部は、いずれかの半リール部品のツバ部に一体成形され、
一方の半リール部品の巻付芯部が他方の半リール部品の巻付芯部のスライド用穴にスライド自在に嵌合されて抜け止めされ、左右のツバ部の間隔がスライド方向に拡狭調整可能であることを特徴とするイヤホンのコードホルダー。
【考案の詳細な説明】
【技術分野】
【０００１】
本考案は、イヤホンのコードホルダーに関する。
【背景技術】
【０００２】
従来、図６（ａ）のように、衣服の衿等２０に着脱自在に挟み付けるクリップ部２１と、イヤホンのコード２２を通すグリップ部２３とを有するイヤホンのコードクリップがある（特許文献１参照）。
【０００３】
また、図６（ｂ）のように、イヤホンのコード２２をスプリング力で巻き付けるリール部２４を有するコード巻取りリールもある（特許文献２参照）。
【先行技術文献】
【特許文献】
【０００４】
【特許文献１】特開２００４−２１４９９６号公報
【特許文献２】実用新案登録第３１０６２０７号公報
【考案の概要】
【考案が解決しようとする課題】
【０００５】
しかしながら、特許文献１では、長いコード２２の処理が煩わしく、かつ絡み合いやすい。また、特許文献２では、スプリングを用いているから、部品手数が多くなり、大型化・重量化してコスト高になる。しかも、コード２２を伸ばして使用している時にもリール部２４の外形状はそのままであるから、コンパクトにならない。
【０００６】
本考案は、前記問題を解消するためになされたもので、デザイン的にシンプルで、かつコンパクトであり、軽量化および低コスト化が図れるイヤホンのコードホルダーを提供することを目的とするものである。
【課題を解決するための手段】
【０００７】
前記課題を解決するために、本考案の第１のイヤホンのコードホルダーは、衣服の衿等に着脱自在に挟み付ける挟付部材と、イヤホンのコードを巻き付け可能な巻付部材とを備えたイヤホンのコードホルダーである。前記挟付部材は、クリップ部品で構成され、前記巻付部材は、前記イヤホンのコードを通すグリップ部品で構成されている。前記クリップ部品と前記グリップ部品とに、前記コードを巻き付け可能な巻付芯部がそれぞれ形成されている。一方の巻付芯部が他方の巻付芯部のスライド用穴にスライド自在に嵌合されて抜け止めされ、前記クリップ部品と前記グリップ部品の間隔がスライド方向に拡狭調整可能であることを特徴とする。
【０００８】
本考案の第１のイヤホンのコードホルダーによれば、クリップ部品とグリップ部品との２部品とすることができる。そして、クリップ部品とグリップ部品とにそれぞれ形成した一方の巻付芯部を他方の巻付芯部のスライド用穴に嵌合して抜け止めすることで２部品を組み立てる。
【０００９】
ここで、クリップ部品とグリップ部品は、クリップ部品とグリップ部品との間隔をスライド方向に拡狭調整することができる。したがって、指で押して左右のクリップ部品とグリップ部品との間隔を拡げることで、巻付芯部が長くなってコードを多く巻き付けることができる。また、コードを伸ばして使用している時は、指で押して左右のクリップ部品とグリップ部品との間隔を狭めることで、巻付芯部が短くなってコンパクトになる。
【００１０】
さらに、コードを巻き付けた後に、指で押して左右のクリップ部品とグリップ部品との間隔を狭めると、巻き付けたコードが左右のクリップ部品とグリップ部品とで押さえ付けられるので、コードの巻き緩みが生じにくくなる。
【００１１】
このように、コードホルダーは、衣服の衿等に着脱自在に挟み付けるクリップ部品とイヤホンのコードを通すグリップ部品との２部品となる。そのため、クリップ部品とグリップ部品との間隔をスライド方向に拡狭調整する機能を有するにも拘わらず、デザイン的にもシンプルで、かつコンパクトとなり、軽量化および低コスト化も図れるようになる。
【００１２】
本考案の第２のイヤホンのコードホルダーは、衣服の衿等に着脱自在に挟み付ける挟付部材と、イヤホンのコードを巻き付け可能な巻付部材とを備えたイヤホンのコードホルダーである。前記挟付部材は、クリップ部で構成され、前記巻付部材は、前記イヤホンのコードを巻き付けるリール部で構成されている。前記リール部は、大径のツバ部と、小径の巻付芯部とが一体成形されてなる左右の半リール部品で構成されている。前記クリップ部は、いずれかの半リール部品のツバ部に一体成形されている。一方の半リール部品の巻付芯部が他方の半リール部品の巻付芯部のスライド用穴にスライド自在に嵌合されて抜け止めされ、左右のツバ部の間隔がスライド方向に拡狭調整可能であることを特徴とする。
【００１３】
本考案の第２のイヤホンのコードホルダーによれば、リール部は、ツバ部と巻付芯部とを一体成形した左右の半リール部品で構成し、クリップ部は、いずれかの半リール部品のツバ部に一体成形することで、２部品とすることができる。そして、一方の半リール部品の巻付芯部を他方の半リール部品の軸部のスライド用穴に嵌合して抜け止めすることで２部品を組み立てる。
【００１４】
ここで、左右の半リール部品は、左右のツバ部の間隔をスライド方向に拡狭調整することができる。したがって、指で押して左右のツバ部の間隔を拡げることで、巻付芯部が長くなってコードを多く巻き付けることができる。また、コードを伸ばして使用している時は、指で押して左右のツバ部の間隔を狭めることで、巻付芯部が短くなってコンパクトになる。
【００１５】
さらに、コードを巻き付けた後に、指で押して左右のツバ部の間隔を狭めると、巻き付けたコードが左右のツバ部で押さえ付けられるので、コードの巻き緩みが生じにくくなる。
【００１６】
このように、ツバ部と巻付芯部とを一体成形してなる左右の半リール部品でリール部を構成し、いずれかの半リール部品のツバ部にクリップ部を一体成形する。これにより、左右のツバ部の間隔をスライド方向に拡狭調整する機能を有するにも拘わらず、デザイン的にもシンプルで、かつコンパクトとなり、軽量化および低コスト化も図れるようになる。
【考案の効果】
【００１７】
本考案によれば、デザイン的にシンプルで、かつコンパクトであり、軽量化および低コスト化が図れるようになる。
【図面の簡単な説明】
【００１８】
【図１】本考案に係る第１実施形態のイヤホンのコードホルダーであり、（ａ）は正面図、（ｂ）は側面図、（ｃ）は要部断面正面図、（ｄ）は要部断面側面図である。
【図２】（ａ）（ｂ）は、クリップ部とグリップ部の間隔を拡狭調整する斜視図、（ｃ）はクリップ部を挟み付けた斜視図である。
【図３】本考案に係る第２実施形態のイヤホンのコードホルダーであり、（ａ）は正面図、（ｂ）は平面図、（ｃ）は左側面図、（ｄ）は背面図である。
【図４】（ａ）は左右の半リール部品の断面図、（ｂ）〜（ｃ）は左右の半リール部品の組み付け手順の側面図である。
【図５】（ａ）（ｂ）は、ツバ部の間隔を拡狭調整する斜視図、（ｃ）はクリップ部を挟み付けた斜視図である。
【図６】（ａ）は特許文献１のコードクリップの斜視図、（ｂ）は特許文献２のコード巻取りリールの斜視図である。
【考案を実施するための形態】
【００１９】
以下、本考案を実施するための形態について、図面を参照しながら詳細に説明する。図１は第１実施形態のイヤホンのコードホルダー１１であり、（ａ）は正面図、（ｂ）は側面図、（ｃ）は要部断面正面図、（ｄ）は要部断面側面図である。
【００２０】
イヤホンのコードホルダー１１は、衣服の衿等１２〔図２（ｃ）参照〕に着脱自在に挟み付けるクリップ部品（挟付部材）１３と、イヤホンのコード１４〔図２（ｃ）参照〕を通すグリップ部品（巻付部材）１５とを備えている。なお、衣服の他に、ショルダーバッグのベルト等にも挟み付けることができる。
【００２１】
クリップ部品１３は、枠状のベース部１３ａと、このベース部１３ａの開口内に嵌まり込む舌片部１３ｂとで構成されている。ベース部１３ａと舌片部１３ｂの基部には、コード１４を巻き付け可能な巻付芯部１３ｄが一体形成されている。
【００２２】
グリップ部品１５は、イヤホンのコード１４を通す管状のグリップ部１５ａの側部に、コード１４を巻き付け可能な巻付芯部１５ｄが一体形成されている。なお、グリップ部１５ａには、コード１４を側方から嵌め込むためのスリット１５ｇが形成されている。
【００２３】
クリップ部品１３とグリップ部品１５は、柔軟性を有する合成樹脂〔例えばＴＰＵ（熱可塑性ポリウレタン）やシリコーン〕で成形されている。
【００２４】
そして、舌片部１３ｂを指で外方〔図１（ｂ）の矢印ａ参照〕に少し撓ませて、ベース部１３ａとの間に形成された隙間を、図２（ｃ）のように衣服の衿等１２に差し込む。これにより、舌片部１３ｂの復元力により、ベース部１３ａとの間で衣服の衿等１２に挟み付けることができる。また、グリップ部品１５を指で摘んで、衣服の衿等１２から強く引くと、ベース部１３ａと舌片部１３ｂとを衣服の衿等１２から引き抜くことができる。すなわち、クリップ部品１３は、衣服の衿等１２に着脱自在に挟み付けることができる。
【００２５】
一方の巻付芯部（本例ではグリップ部品１５の巻付芯部）１５ｄは、他方の巻付芯部（本例ではクリップ部品１３の巻付芯部）１３ｄのスライド用穴１３ｅにスライド自在に嵌合されている。
【００２６】
具体的には、クリップ部品１３の巻付芯部１３ｄのスライド用穴１３ｅは、矩形状に形成され、グリップ部品１５の巻付芯部１５ｄは、矩形状に形成されている。したがって、クリップ部品１３の巻付芯部１３ｄとグリップ部品１５の巻付芯部１５ｄとは回転しないようになる。
【００２７】
また、クリップ部品１３のスライド用穴１３ｅの入口には内向き突起１３ｆが形成され、グリップ部品１５の巻付芯部１５ｄの先端には外向き突起１５ｆが形成されている。そして、スライド用穴１３ｅに巻付芯部１５ｄを、各突起１３ｆ，１５ｆを撓ませながら無理嵌めすることで、スライド用穴１３ｅに巻付芯部１５ｄがスライド自在に嵌合されるようになる。
【００２８】
また、グリップ部品１５の巻付芯部１５ｄの外向き突起１５ｆがクリップ部品１３のスライド用穴１３ｅの内向き突起１３ｆに係合することで、グリップ部品１５の巻付芯部１５ｄがクリップ部品１３のスライド用穴１３ｅから抜け出さないように抜け止めされている。
【００２９】
これにより、クリップ部品１３とグリップ部品１５とを相対的にスライドさせることで、図２（ａ）のように間隔Ｗ１を狭め（例えば６ｍｍ）、または図２（ｂ）のように間隔Ｗ２を拡げる（例えば１２ｍｍ）ことができる。すなわち、間隔Ｗ１，Ｗ２はスライド方向に拡狭調整可能である。
【００３０】
第１実施形態のイヤホンのコードホルダー１１であれば、コードホルダー１１は、クリップ部品１３とグリップ部品１５との２部品とすることができる。そして、クリップ部品１３とグリップ部品１５とにそれぞれ形成した一方の巻付芯部１５ｄを他方の巻付芯部１３ｄのスライド用穴１３ｅに嵌合して抜け止めすることで２部品を組み立てる。
【００３１】
ここで、クリップ部品１３とグリップ部品１５は、クリップ部品１３とグリップ部品１５との間隔Ｗ１，Ｗ２をスライド方向に拡狭調整することができる。したがって、指で押して左右のクリップ部品１３とグリップ部品１５との間隔Ｗ２を拡げることで、巻付芯部１３ｄ，１５ｄが長くなってコード１４を多く巻き付けることができる。また、コード１４を伸ばして使用している時は、指で押して左右のクリップ部品１３とグリップ部品１５との間隔Ｗ１を狭めることで、巻付芯部１３ｄ，１５ｄが短くなってコンパクトになる。
【００３２】
さらに、コード１４を巻き付けた後に、指で押して左右のクリップ部品１３とグリップ部品１５との間隔を狭めると、巻き付けたコード１４が左右のクリップ部品１３とグリップ部品１５とで押さえ付けられるので、コード１４の巻き緩みが生じにくくなる。
【００３３】
このように、コードホルダー１１は、衣服の衿等１２に着脱自在に挟み付けるクリップ部品１３とイヤホンのコード１４を通すグリップ部品１５との２部品とすることで、クリップ部品１３とグリップ部品１５との間隔Ｗ１，Ｗ２をスライド方向に拡狭調整する機能を有するにも拘わらず、デザイン的にもシンプルで、かつコンパクトとなり、軽量化および低コスト化も図れるようになる。
【００３４】
図３は第２実施形態のイヤホンのコードホルダー１であり、（ａ）は正面図、（ｂ）は平面図、（ｃ）は左側面図、（ｄ）は背面図である。なお、第１実施形態と同一構成・作用の箇所は、詳細な説明は省略する。
【００３５】
イヤホンのコードホルダー１は、衣服の衿等２〔図３（ｃ）参照〕に着脱自在に挟み付けるクリップ部（挟持部材）３と、イヤホンのコード４〔図５（ｃ）参照〕を巻き付けるリール部（巻付部材）５とを備えている。
【００３６】
リール部５は、大径円板状のツバ部５ａと小径丸軸状の巻付芯部５ｂとが一体成形されてなる左右の半リール部品５Ａ，５Ｂで構成されている。
【００３７】
クリップ部３は、いずれかの半リール部品５Ａ，５Ｂ、本例では、図３（ｂ）のように、半リール部品５Ａのツバ部５ａの外周から軸直角方向に突出するように一体成形されている。クリップ部３は、枠状のベース部３ａと、このベース部３ａの開口内に嵌まり込む舌片部３ｂとで構成されている。
【００３８】
クリップ部３を含む左右の半リール部品５Ａ，５Ｂは、柔軟性を有する合成樹脂〔例えばＴＰＵ（熱可塑性ポリウレタン）やシリコーン〕で成形されている。
【００３９】
そして、舌片部３ｂを指で外方〔図３（ｂ）の矢印ａ参照〕に少し撓ませて、ベース部３ａとの間に形成された隙間を、図５（ｃ）のように衣服の衿等２に差し込む。これにより、舌片部３ｂの復元力により、ベース部３ａとの間で衣服の衿等２に挟み付けることができる。また、リール部５を指で摘んで、衣服の衿等２から強く引くと、ベース部３ａと舌片部３ｂとを衣服の衿等２から引き抜くことができる。すなわち、クリップ部３は、衣服の衿等２に着脱自在に挟み付けることができる。
【００４０】
図４（ａ）〜（ｄ）のように、左右の半リール部品５Ａ，５Ｂの内、一方の半リール部品５Ｂの巻付芯部５ｂは、他方の半リール部品５Ａの巻付芯部５ｂのスライド用穴５ｃに、スライド自在に嵌合されている。
【００４１】
具体的には、半リール部品５Ｂの巻付芯部５ｂは、先側が拡径したテーパ軸状に形成されて、先端にＶ字状の切り込み５ｄが形成され、半リール部品５Ａの巻付芯部５ｂのスライド用穴５ｃは、奥側が拡径したテーパ穴状に形成されている。テーパ軸状の巻付芯部５ｂの先端部の外径は、テーパ穴状の巻付芯部５ｂのスライド用穴５ｃの先端部の内径よりもやや大径に設定されている。
【００４２】
そして、図４（ｂ）〜（ｄ）のように、半リール部品５Ｂの巻付芯部５ｂを切り込み５ｄで押さえて縮径させながら（矢印ｂ参照）、半リール部品５Ａの巻付芯部５ｂのスライド用穴５ｃにスライド可能に嵌め込む。
【００４３】
これにより、左右のツバ部５ａを相対的にスライドさせることで、図５（ａ）のように間隔Ｗ１を狭め（例えば６ｍｍ）、または図５（ｂ）のように間隔Ｗ２を拡げる（例えば１２ｍｍ）ことができる。すなわち、間隔Ｗ１，Ｗ２はスライド方向に拡狭調整可能である。
【００４４】
また、半リール部品５Ｂの巻付芯部５ｂは、半リール部品５Ａの巻付芯部５ｂのスライド用穴５ｃ内でほぼ同径に弾力で復元することで、半リール部品５Ｂの巻付芯部５ｂは半リール部品５Ａの巻付芯部５ｂのスライド用穴５ｃから抜け出ないように抜け止めされるようになる。
【００４５】
一方、左右のツバ部５ａの外面には、インナー型イヤホン部（不図示）の外縁を嵌め込んで保持可能な外枠５ｆと、カナル型イヤホン部（不図示）の中心穴を差し込んで保持可能な突起５ｇとが同軸に一体成形されている。
【００４６】
第２実施形態のイヤホンのコードホルダー１であれば、リール部５は、ツバ部５ａと巻付芯部５ｂとを一体成形した左右の半リール部品５Ａ，５Ｂで構成する。また、クリップ部３は、いずれかの半リール部品５Ａのツバ部５ａに一体成形することで、２部品とすることができる。そして、一方の半リール部品５Ｂの巻付芯部５ｂを他方の半リール部品５Ａの巻付芯部５ｂのスライド用穴５ｃに嵌合して抜け止めすることで２部品を組み立てる。
【００４７】
ここで、左右の半リール部品５Ａ，５Ｂは、左右のツバ部５ａの間隔Ｗ１，Ｗ２をスライド方向に拡狭調整することができる。したがって、指で摘んで左右のツバ部５ａの間隔Ｗ２を拡げることで、巻付芯部５ｂが長くなってコード４を多く巻き付けることができる。また、コード４を伸ばして使用している時は、指で押して左右のツバ部５ａの間隔Ｗ１を狭めることで、巻付芯部５ｂが短くなってコンパクトになる。
【００４８】
さらに、コード４を巻き付けた後に、指で押して左右のツバ部５ａの間隔Ｗ１を狭めると、巻き付けたコード４が左右のツバ部５ａで押さえ付けられるので、コード４の巻き緩みが生じにくくなる。
【００４９】
このように、ツバ部５ａと巻付芯部５ｂとを一体成形してなる左右の半リール部品５Ａ，５Ｂでリール部５を構成し、いずれかの半リール部品５Ａのツバ部５ａにクリップ部３を一体成形する。これにより、左右のツバ部５ａの間隔Ｗ１，Ｗ２をスライド方向に拡狭調整する機能を有するにも拘わらず、デザイン的にもシンプルで、かつコンパクトとなり、軽量化および低コスト化も図れるようになる。
【符号の説明】
【００５０】
１      コードホルダー
２      衣服の衿等
３      クリップ部（挟持部材）
４      コード
５      リール部（巻付部材）
５Ａ，５Ｂ  半リール部品
５ａ    ツバ部
５ｂ    巻付芯部
５ｃ    スライド用穴
５ｄ    切り込み
５ｆ    外枠
５ｇ    突起
１１    コードホルダー
１２    衣服の衿等
１３    クリップ部品（挟持部材）
１３ｄ  巻付芯部
１３ｅ  スライド用穴
１３ｆ  内向き突起
１４    コード
１５    グリップ部品（巻付部材）
１５ｄ  巻付芯部
１５ｆ  外向き突起
Ｗ１，Ｗ２  間隔
【図１】
0003186640.tif 000003
【図２】
0003186640.tif 000004
【図３】
0003186640.tif 000005
【図４】
0003186640.tif 000006
【図５】
0003186640.tif 000007
【図６】
0003186640.tif 000008